(57)【特許請求の範囲】
【請求項１】
データの入出力を行う入出力部と、
データを蓄積する蓄積部と、
前記入出力部より入力されたデータを前記蓄積部に蓄積し、また前記蓄積部に蓄積されているデータを前記入出力部に出力する入出力制御部と、
前記蓄積部にデータが蓄積された時点を起点とする第１の所定時間内にデータの読み出しがあった場合は、データの読み出された時点を起点とし、かつ前記第１の所定時間よりも短い第２の所定時間経過後にデータを削除し、前記第１の所定時間内にデータの読み出しがない場合は、前記第１の所定時間経過後にデータを削除する蓄積管理部と、
を備えたことを特徴とする入出力装置。
【請求項２】
前記第１の所定時間内にデータの読み出しがない場合のデータ削除に際して、削除するデータをデータ送信元に転送した後にデータを削除するようにしたことを特徴とする請求項１に記載の入出力装置。
【請求項３】
前記第２の所定時間内に前記蓄積部より蓄積されているデータが再度読み出された場合は、読み出された時点から更に第２の所定時間経過したときにデータを削除するようにしたことを特徴とする請求項１または２に記載の入出力装置。
【請求項４】
データの読み出しがない場合は、前記蓄積部にデータが蓄積された時点を起点とし、かつ前記第１の所定時間より短い第３の所定時間においてデータ送信元へデータを削除することを通知し、データの読み出しがあった場合は、データの読み出された時点を起点とし、かつ前記第２の所定時間より短い第４の所定時間においてデータ送信元へデータを削除することを通知することを特徴とする請求項１乃至３のいずれか一項に記載の入出力装置。
【請求項５】
前記第３の所定時間と、前記第４の所定時間によるデータ削除の通知を、前記データ送信元に加えてデータ蓄積時に取得した複数のアドレスに対して通知するようにしたことを特徴とする請求項４に記載の入出力装置。
【請求項６】
前記第１の所定時間、第２の所定時間、第３の所定時間および前記第４の所定時間を変更できるようにしたことを特徴とする請求項４乃至５のいずれか一項に記載の入出力装置。
【請求項７】
前記蓄積部の未蓄積容量検出し、
該未蓄積容量に応じて、前記第１の所定時間、第２の所定時間、第３の所定時間および前記第４の所定時間を変更するようにしたことを特徴とする請求項４乃至５のいずれか一項に記載の入出力装置。
【請求項８】
前記第３の所定時間と、前記第４の所定時間によるデータ削除の通知に対して時間延長識別子が受信された場合は、
前記蓄積管理部は前記第１の所定時間および第２の所定時間を延長するようにしたことを特徴とする請求項４乃至７のいずれか一項に記載の入出力装置。
【請求項９】
前記時間延長識別子に付加されている延長時間が所定時間以上の場合は該所定時間を延長時間とするようにしたことを特徴とする請求項８に記載の入出力装置。
【請求項１０】
前記時間延長識別子による時間延長を所定回数で制限するようにしたことを特徴とする請求項８乃至９のいずれか一項に記載の入出力装置。
【請求項１１】
前記入出力装置がファクシミリ、プリンタ、ディジタル複写機及びいずれかの機能を組み合せた複合機に装着されていることを特徴とする請求項１乃至１０項のいずれか一項に記載の入出力装置。
【請求項１２】
前記入出力装置が情報処理装置であるパーソナルコンピュータに装着されていることを特徴とする請求項１乃至１０項のいずれか一項に記載の入出力装置。
【発明の詳細な説明】
【０００１】
【発明の属する技術分野】
本発明はデータの転送方法を異にする回線によって転送されたデータおよび入力されたデータを蓄積して指定された転送先に転送または印刷装置に転送するディジタルデータの入出力装置に関する。
【０００２】
【従来の技術】
今日ではＦＡＸ、インタネット、ＬＡＮ等により画、図形、文書等をディジタルデータに変換し印刷出力することが行われている。
またパーソナルコンピュータやワープロなどで作成された文書や図形はプリンタによって印刷出力することが行われ、更に印刷された文書、図形、画などを複写することも行われている。
【０００３】
【発明が解決しようとする課題】
前述した各システムや装置を別々に設置した場合は、それらの機器の設置面積が膨大となる他コストも上昇することから、例えばＦＡＸと複写を合せ持つ複合装置が使用されている。
【０００４】
しかしながら、前述した、ＦＡＸ、インタネット、ＬＡＮ等にアクセスし、転送されたデータまたは作成されたデータの印刷、転送および中継を行わせる装置は提供されていない。
【０００５】
本発明はデータの転送方法を異にする回線によって転送されたデータおよび入力されたデータを指定された転送先に転送または印刷出力を可能にした入出力装置を提供することを課題とする。また、データが蓄積されてから所定時間後に蓄積されているデータを削除し、削除に際してデータ送信元に削除することを通知して、印刷することを忘れた場合に容易に対処できるようにすることを課題とする。
【０００６】
【課題を解決するための手段】
請求項１の発明においては、データの入出力を行う入出力部と、データを蓄積する蓄積部と、前記入出力部より入力されたデータを前記蓄積部に蓄積し、また前記蓄積部に蓄積されているデータを前記入出力部に出力する入出力制御部と、前記蓄積部にデータが蓄積された時点を起点とする第１の所定時間内にデータの読み出しがあった場合は、データの読み出された時点を起点とし、かつ前記第１の所定時間よりも短い第２の所定時間経過後にデータを削除し、前記第１の所定時間内にデータの読み出しがない場合は、前記第１の所定時間経過後にデータを削除する蓄積管理部と、を備える。
【０００７】
請求項２の発明においては、請求項１に記載の入出力装置であって、前記第１の所定時間内にデータの読み出しがない場合のデータ削除に際して、削除するデータをデータ送信元に転送した後にデータを削除する。
【０００８】
請求項３の発明においては、請求項１または２に記載の入出力装置であって、前記第２の所定時間内に前記蓄積部より蓄積されているデータが再度読み出された場合は、読み出された時点から更に第２の所定時間経過したときにデータを削除する。
【０００９】
請求項４の発明においては、請求項１乃至３のいずれか一項に記載の入出力装置であって、データの読み出しがない場合は、前記蓄積部にデータが蓄積された時点を起点とし、かつ前記第１の所定時間より短い第３の所定時間においてデータ送信元へデータを削除することを通知し、データの読み出しがあった場合は、データの読み出された時点を起点とし、かつ前記第２の所定時間より短い第４の所定時間においてデータ送信元へデータを削除することを通知する。
【００１０】
請求項５の発明においては、請求項４に記載の入出力装置であって、前記第３の所定時間と、前記第４の所定時間によるデータ削除の通知を、前記データ送信元に加えてデータ蓄積時に取得した複数のアドレスに対して通知する。
【００１１】
請求項６の発明においては、請求項４乃至５のいずれか一項に記載の入出力装置であって、前記第１の所定時間、第２の所定時間、第３の所定時間および前記第４の所定時間を変更できるようにした。
【００１２】
請求項７の発明においては、請求項４乃至５のいずれか一項に記載の入出力装置であって、前記蓄積部の未蓄積容量検出し、該未蓄積容量に応じて、前記第１の所定時間、第２の所定時間、第３の所定時間および前記第４の所定時間を変更するようにした。
【００１３】
請求項８の発明においては、請求項４乃至７のいずれか一項に記載の入出力装置であって、前記第３の所定時間と、前記第４の所定時間によるデータ削除の通知に対して時間延長識別子が受信された場合は、前記蓄積管理部は前記第１の所定時間および第２の所定時間を延長するようにした。
【００１４】
請求項９の発明においては、請求項８に記載の入出力装置であって、前記時間延長識別子に付加されている延長時間が所定時間以上の場合は該所定時間を延長時間とするようにした。
【００１５】
請求項１０の発明においては、請求項８乃至９のいずれか一項に記載の入出力装置であって、前記時間延長識別子による時間延長を所定回数で制限するようにした。
【００１６】
請求項１１の発明においては、請求項１乃至１０項のいずれか一項に記載の入出力装置であって、前記入出力装置がファクシミリ、プリンタ、ディジタル複写機及びいずれかの機能を組み合せた複合機に装着されている。
【００１７】
請求項１２の発明においては、請求項１乃至１０項のいずれか一項に記載の入出力装置であって、前記入出力装置が情報処理装置であるパーソナルコンピュータに装着されている。
【００１９】
【発明の実施の形態】
本発明の実施の形態を図１〜図９を参照して説明する。図１は本発明の実施例の構成図、図２は蓄積動作のフローチャート、図３および図４は蓄積データの出力動作のフローチャート、図５は蓄積管理部の構成図、図６〜図９は蓄積管理動作のフローチャートである。
【００２０】
図１において、１，２および３は、それぞれＦＡＸ回線網、インタネット回線網および有線ＬＡＮ回線網と接続され、該回線網よりデータの受信および送信を行う送受信部、４は親展用蓄積部４Ａ、出力用蓄積部４Ｂおよび保管用蓄積部４Ｃで構成され、データを蓄積する蓄積部、５は入出力制御部、６はフォーマット変換部、７は入力部、８はディジタルデータの入出力を行うインタフェース（Ｉ／Ｏ）、９は表示部、１０はスキャナ、１１は印刷部、１２は音声出力部、１３は出力変換部、１４は蓄積管理部および１５は処理を行うプロセッサ（ＣＰＵ）である。
【００２１】
つぎに、図２を参照して、蓄積部４へのデータの蓄積動作について説明する。なお図２は送受信部２と接続されたインタネット回線よりデータの受信が生じた場合を示している。
【００２２】
ステップＳ１０では、入出力制御部５は、送受信部２にインタネット回線網より受信が有ったか否かを判定し、判定がＹＥＳとなるまで待機する。
ステップＳ１１では、入出力制御部５は、受信されたデータに親展用識別子が付加されているか否かを判定し、判定がＹＥＳの場合はステップＳ１２に移る。
【００２３】
なお親展用識別子としては送信元を特定できる送信元識別子、送信先を特定できる送信先識別子またはこれら両方を識別子としてもよく、またはパスワードでもよい。
【００２４】
ステップＳ１２では、入出力制御部５は、受信したデータを親展用蓄積部４Ａに蓄積する。
ステップＳ１１での判定がＮＯの場合はステップＳ１３に移り、入出力制御部５は、受信したデータに保管用識別子が付加されているか否かを判定し、判定がＹＥＳの場合はステップＳ１４に移り、保管用蓄積部４Ｃに受信したデータを蓄積する。
【００２５】
またステップＳ１３での判定がＮＯの場合はステップＳ１５に移り、入出力制御部５は、出力用蓄積部４Ｂに受信したデータを蓄積する。
なお以上の説明はインタネットを対象としたものであるが、ＦＡＸおよび有線ＬＡＮの場合はＦＡＸ文およびＬＡＮの転送データの先頭に識別子を付加し、図２で説明したと同様の動作を行わせて蓄積部４にデータを蓄積させる。
【００２６】
また、入力部７で入力して生成されたデータ、Ｉ／Ｏ８を介して入力されたデータおよびスキャナ１０でスキャンされたデータ等の識別子が付加されていないデータに対しては、入力部７より、これらのデータの蓄積に先だって識別子を入力させて図２で説明したと同様の動作を行わせて蓄積部４にデータを蓄積させる。
【００２７】
つぎに、図３および図４を参照して、蓄積部４よりのデータの出力動作を説明する。なお図３および図４は親展用蓄積部４Ａよりの出力動作を示している。
ステップＳ２０では、入出力制御部５は、識別子として送信先識別子が付加されているデータが有るか否かを判定し、送信先識別子が有るものに対してはステップＳ２１に移って送信先を読取る。
【００２８】
ステップＳ２２では、入出力制御部５は、ステップＳ２１で読取った送信先がＦＡＸ回線網、インタネット回線網または有線ＬＡＮ回線網のいずれに属するものであるかを判定し、判定された回線網に対応してフォーマット変換部６に指令して親展用蓄積部４Ａより読出したデータをフォーマット変換する。
【００２９】
ステップＳ２３では、入出力制御部５は、対応する送受信部１，２または３に指令して、フォーマット変換されたデータを送出する。
また、ステップＳ２０での判定がＮＯの場合、すなわち送信先の識別子がないデータに対しては、ステップＳ２４に移って入力部７より識別子を入力させる。
【００３０】
ステップＳ２５では、入出力制御部５は、ステップＳ２４で入力された識別子と同じ識別子が付加されているデータが有るか否かを判定し、一致する識別子が有る場合はステップＳ２６に移る。
ステップＳ２６では、入出力制御部５は、ファイルより出力変換を読取り、印刷の場合はステップＳ２７に移って印刷部１１で蓄積データの印刷を行う。
【００３１】
なお印刷するデータがＦＡＸの場合は出力変換部１３で帯域圧縮を解除させ、また符号文データの場合は出力変換部１３で符号を文字のドットデータに展開して印刷部１１で印刷が行われる。
【００３２】
またステップＳ２６での出力変換が音声の場合はステップＳ２８に移り、音声データが帯域圧縮されていれば出力変換部１３で帯域圧縮を解除し、アナログ信号に変換して音声出力部１２に出力する。
【００３３】
またステップＳ２６での出力変換が画像の場合はステップＳ２９に移り、入出力制御部５は、動画であるか否かを判定し、判定がＹＥＳの場合はステップＳ３０に移り、動画プログラムを立上げ、ステップＳ３１に移って、動画または静止画を表示部９で表示させ、ステップＳ３２に移って出力されたファイルの削除が行われる。
【００３４】
なおファイルの削除は後で説明するようにファイルよりデータが読出されてから所定時間後に削除されるために、出力したデータを持帰りたい場合はＩ／Ｏ８に例えばフロッピーディスクを接続してコピーすることもできる。
【００３５】
以上説明したように、送信先が識別子があるファイルは自動的にファイルデータが中継され、その他のファイルに対してはパスワードに対応する識別子を入力させ、識別子が一致するものに対してのみ出力ができるようにしているため、機密を保護することができる。
【００３６】
以上は親展用蓄積部４Ａに蓄積されているデータの出力を説明したが、出力用蓄積部４Ｂに蓄積されているデータに対しては入出力制御部５は、図３で説明したステップＳ２０〜Ｓ２４が削除して、自動的にステップＳ２５〜Ｓ３２が実行される。
【００３７】
また保管用蓄積部４Ｃに蓄積されているデータに対しては、ステップＳ２０〜Ｓ２３が削除され、ステップＳ２４で識別子が入力されてステップＳ２５〜Ｓ３２が実行される。なおステップＳ２４での識別子の入力に際しては、蓄積されているファイルの識別子を表示部９に表示させて選択させるようにしてもよい。
【００３８】
このように識別子を表示させて選択させるようにしたことにより、蓄積されているファイルのデータが公表を対象にするデータの場合、容易に必要なものを表示または印刷出力することができる。
【００３９】
以上説明した実施例は本発明の入出力装置がファクシミリ装置に装着した場合を想定したものであるが、プリンタ、ディジタル複写機またはそれにファクシミリおよびプリンタ機能を合せた複合機、またはパーソナルコンピュータ等の情報処理装置に装着してもよい。
【００４０】
つぎに、図５〜図９を参照して蓄積部４に蓄積されているデータの管理について説明する。
管理部１４は、図５に示されるように基準時間発生部１４Ａ、ＭＡＸ  ＴＩＭＥ１（ＭＴ１）記録部１４Ｂ、ＭＡＸ  ＴＩＭＥ２（ＭＴ２）記録部１４Ｃ、ＭＡＸ  ＴＩＭＥ３（ＭＴ３）１４Ｄ、ＭＡＸ  ＴＩＭＥ４（ＭＴ４）１４Ｅ、ＭＡＸ  ＴＩＭＥ５（ＭＴ５）１４Ｆ、および型（ＴＹＰＥ）時間（Ｔ）記録部１４Ｇで構成される。
【００４１】
ＭＴ２には予めデータが蓄積されてから削除するまでの時間、例えばＭＴ２＝２４時間が、ＭＴ１にはデータが削除される前に通知する時間、例えばＭＴ１＝２３時間、ＭＴ４にはデータが読出されたものに対して削除するまでの時間、例えばＭＴ４＝１時間、ＭＴ３には読出されたデータが削除される前に通知する時間、例えばＭＴ３＝３０分が、またＭＴ５には最大延長時間、例えばＭＴ５＝１０時間が記録されており、これらの値は入力部７より入力して変更することができる。
【００４２】
つぎに、図６および図７を参照して、蓄積管理部１４の動作を説明する。
ステップＳ４０では、蓄積部４にデータの蓄積が完了したことを検知するとステップＳ４１に移って、蓄積されたファイルに対する型時間記録部１４ＤのＴＹＰＥおよびＴを共に０にセットする。
【００４３】
ステップＳ４２では、基準時間発生部１４Ａで基準時間Ｔ0 、例えばＴ0 ＝１０分経過したか否かを判定し、判定がＹＥＳとなるまで待機する。
ステップＳ４３では、型時間記録部１４Ｇに記録されている時間Ｔの値にＴ0 を加算して再記録する。
【００４４】
ステップＳ４４では、型時間記録部１４Ｇの型ＴＹＰＥが０であるか否かを判定する。
なお後述するようにＴＹＰＥ＝０の場合は蓄積部４よりデータが読出されたことが無い場合を、またＴＹＰＥ＝１は読出されたことが有る場合を示している。
【００４５】
ステップＳ４４での判定がＹＥＳの場合はステップＳ４５に移り、ステップＳ４３で加算された時間ＴがＭＡＸ  ＴＩＭＥ１記録部１４Ｂに記録されている値であるＭＴ１＝２３時間であるか否かを判定し、判定がＹＥＳの場合はステップＳ４６に移り当該ファイルを削除することを送信元に通知する。
【００４６】
なおファイルの削除の通知は、図２で説明したデータ（ファイル）の蓄積に際して転送された識別子に実際の送信元に加えてファイルの削除を通知を希望するアドレスが付加されている場合は、付加されているアドレスに対しても通知する。
【００４７】
このように付加されたアドレスに対してもファイルの削除が通知されるため、付加したアドレスを携帯電話とすることにより、容易にファイルの削除を知ることができる。
【００４８】
つぎにステップＳ４７に移り、時間ＴがＴＩＭＥ２記録部１４Ｃに記録されているＭＴ２＝２４時間より大か否かを判定し、判定がＹＥＳの場合はステップＳ４８に移って当該ファイルを送信元に転送し、転送が終了するとステップＳ４９に移ってファイルを削除する。
すなわち、ＭＴ２時間内に１度も読出しが行われなかったファイルを削除する。
【００４９】
ステップＳ４７の判定がＮＯの場合はステップＳ５０に移り、蓄積部４に蓄積されている当該ファイルよりの出力（読出）が有ったか否かを判定し、読出しが無かった場合はステップＳ４２に移り、ステップＳ４２〜Ｓ５０が繰返される。
【００５０】
またステップＳ５０での判定がＹＥＳの場合はステップＳ５１に移り、型時間記録部１４Ｇの型のＴＹＰＥの値を１に、時間Ｔを０にセットし、ステップＳ４２に移り、ステップＳ４２〜Ｓ４４が実行される。
【００５１】
ステップＳ４４の判定がＮＯ、すなわちファイルよりの読出しが行われたものに対してはステップＳ５２に移り、型時間記録部１４Ｇに記録されている時間ＴがＭＡＸ  ＴＩＭＥ３記録部１４Ｄに記録されている時間ＭＴ３＝３０分であるか否かを判定し、判定がＹＥＳの場合はステップＳ５３に移って当該ファイルを削除することを送信元に通知する。
【００５２】
ステップＳ５４では、時間ＴがＴＩＭＥ４記録部１４Ｅに記録されているＭＴ４＝１時間より大か否かを判定し、判定がＹＥＳの場合はステップＳ５５に移って当該ファイルを削除する。
すなわち読出しが行われたファイルに対しては読出が行われてからＭＴ４時間経過したものは削除する。
【００５３】
ステップＳ５４での判定がＮＯの場合はステップＳ５６に移り、再度ファイルよりの読出しが行われたか否かを判定し、判定がＮＯの場合はステップＳ４２に移り、ステップＳ４２〜Ｓ４４およびステップＳ５２〜Ｓ５６が繰返される。
【００５４】
またステップＳ５６での判定がＹＥＳの場合はステップＳ５７に移り、型時間記録部１４Ｇの時間Ｔを０にリセットし、ステップＳ４２に移り、ステップＳ４２〜Ｓ４４およびＳ５２〜Ｓ５７が繰返される。
すなわち、ファイルより読出しが再度行われた場合は、ファイルの削除を再度延長するようにしている。
【００５５】
なお実施例ではＭＡＸ  ＴＩＭＥ１記録部１４Ｂ〜ＭＡＸ  ＴＩＭＥ４記録部１４Ｅに記録させるＭＴ１〜ＭＴ４を入力部７より入力させるようにしていたが、蓄積部４の残り蓄積容量（データの蓄積が可能な容量）を検出し、検出された容量に応じて変更するようにしてもよい。
【００５６】
つぎに、図８および図９を参照して、前述した図６のステップＳ４６でのファイルの削除通知に対して削除時間延長があった場合の動作を説明する。
ステップＳ６０では、時間延長識別子が受信されたか否かを判定し、判定がＹＥＳとなるとステップＳ６１に移り、転送された延長するファイル名および延長時間（ＴL ）を記録する。
【００５７】
なお電話のダイヤルボタンに対応させて、
＊１２３
＊１２４××××
＊１２５０１１０
を本発明の入出力装置に転送させた場合、ステップＳ６０で＊１２３が最初に転送された場合は時間延長識別子であると判定し、＊１２４に続いて××××が転送された場合は××××をファイル名と判定し、＊１２５に続いて０１１０が転送された場合は上位２ケタを時間、下２ケタを分の単位とした延長時間が１時間１０分と判定して記録させることにより、容易に電話機より時間延長を行わせることができる。
【００５８】
ステップＳ６２では、ステップＳ６１で記録したファイル名のファイルが蓄積部４に記録されているか否かを判定し、判定がＮＯ、すなわち記録されていない場合はステップＳ６０に移る。
【００５９】
ステップＳ６３では、当該ファイルの延長回数Ｎに１を加算し、ステップＳ６４に移り、延長回数Ｎが設定された回数Ｎ0 より大か否かを判定し、判定がＹＥＳの場合はステップＳ６５に移り、時間の延長回数がオーバしたので再延長不可を通知する。
【００６０】
ステップＳ６４での判定がＮＯの場合はステップＳ６６に移り、ステップＳ６１で記録した延長時間ＴL がＭＡＸ  ＴＩＭＥ５記録部１４Ｆに記録されているＭＴ５＝１０時間より大か否かを判定し、判定がＹＥＳの場合はステップＳ６７に移り、ＴL ＝ＭＴ５とし、ステップＳ６８に移って延長時間がオーバしており最大の１０時間にセットしたことを通知する。
【００６１】
ステップＳ６９では、当該ファイルのＭＴ２およびＭＴ１にＴL を加算してステップＳ６０に帰る。
ＭＴ２にＴL が加算されたことによりファイル削除時間ＭＴ２は２４時間より１０時間（＝ＭＴ５）延長される。
【００６２】
【発明の効果】
以上説明したように、本発明によればデータ転送方法が異なる回線によって転送されたデータおよび入力されたデータを、指定された転送先に転送または印刷出力することができる。
また、以上のように対処できるためコストや設置スペースを低減することができる。
また、データが蓄積されてから所定時間後に蓄積されているデータを削除し、削除に際してデータ送信元に削除することを通知するようにしたので、印刷することを忘れた場合に容易に対処することができる。
【図面の簡単な説明】
【図１】本発明の実施例の構成図である。
【図２】データ蓄積動作のフローチャートである。
【図３】蓄積データの出力動作のフローチャートである。
【図４】蓄積データの出力動作のフローチャートである。
【図５】蓄積管理部の構成図である。
【図６】蓄積管理動作のフローチャートである。
【図７】蓄積管理動作のフローチャートである。
【図８】蓄積管理動作のフローチャートである。
【図９】蓄積管理動作のフローチャートである。
【符号の説明】
１，２，３  送受信部
４          蓄積部
４Ａ        親展用蓄積部
４Ｂ        出力用蓄積部
４Ｃ        保管用蓄積部
５          入出力制御部
６          フォーマット変換部
７          入力部
８          インタフェース（Ｉ／Ｏ）
９          表示部
１０        スキャナ
１１        印刷部
１２        音声出力部
１３        出力変換部
１４        蓄積管理部
１４Ａ      基準時間発生部
１４Ｂ      ＭＡＸ  ＴＩＭＥ１  記録部
１４Ｃ      ＭＡＸ  ＴＩＭＥ２  記録部
１４Ｄ      ＭＡＸ  ＴＩＭＥ３  記録部
１４Ｅ      ＭＡＸ  ＴＩＭＥ４  記録部
１４Ｆ      ＭＡＸ  ＴＩＭＥ５  記録部
１４Ｇ      型時間記録部
１５        プロセッサ（ＣＰＵ）
【図１】
0003908886.tif 000002
【図２】
0003908886.tif 000003
【図３】
0003908886.tif 000004
【図４】
0003908886.tif 000005
【図５】
0003908886.tif 000006
【図６】
0003908886.tif 000007
【図７】
0003908886.tif 000008
【図８】
0003908886.tif 000009
【図９】
0003908886.tif 000010